(57)【要約】【課題】  記入した情報を隠蔽することができ、かつ、ＲＦ−ＩＤメディアに書き込まれた情報を保護する。【解決手段】  情報記入領域１１が設けられた情報表示片１０にＲＦ−ＩＤチップ１０を取り付けるとともに、ミシン目３０を介して情報表示片１０に連接する隠蔽片２０のうち、ミシン目３０を介して折り畳み情報表示片１０と隠蔽片２０とを接着した場合にＲＦ−ＩＤチップ１０に対向する領域に導電領域２１を区画形成する。【選択図】図１
2006088372.tif 000002
【特許請求の範囲】
【請求項１】
情報記入領域が設けられた第１の紙片と、該第１の紙片のうち少なくとも前記情報記入領域に記入された情報を隠蔽するために剥離可能な接着構造によって前記第１の紙片に接着可能に構成された第２の紙片とを有してなる記入情報隠蔽シートにおいて、
前記第１の紙片は、前記第２の紙片が接着される領域にＲＦ−ＩＤメディアが取り付けられ、
前記第２の紙片は、前記第１の紙片に接着された場合に前記ＲＦ−ＩＤメディアの情報書き込み／読み出し領域を含む領域に対向する領域に電波遮断手段が区画形成されていることを特徴とする記入情報隠蔽シート。
【請求項２】
請求項１に記載の記入情報隠蔽シートにおいて、
前記第１の紙片と前記第２の紙片とは、折り部を介して連接しており、該折り部にて折り畳まれた場合に、前記情報記入領域が前記第２の紙片にて覆われ、かつ、前記電波遮断手段が前記ＲＦ−ＩＤメディアの情報書き込み／読み出し領域を含む領域に対向する領域に位置することを特徴とする記入情報隠蔽シート。
【発明の詳細な説明】
【技術分野】
【０００１】
本発明は、情報記入領域に情報を記入した後に、記入した情報を隠蔽することができる記入情報隠蔽シートに関し、特に、シート内にＲＦ−ＩＤメディアが取り付けられた記入情報隠蔽シートに関する。
【背景技術】
【０００２】
従来より、情報を記入するための情報記入領域が設けられたカードにおいて、情報記入領域に情報を記入した後にシール等の隠蔽片を情報記入領域に剥離可能に接着し、それにより、情報記入領域に記入された情報を隠蔽可能とするものが考えられている（例えば、特許文献１参照。）。このカードを用いて情報を伝達する場合、情報記入領域に伝達したい情報を記入した後、この情報記入領域を有する表示片に連接した隠蔽片を情報記入領域に剥離可能に接着し、その状態でカードを送付先に郵送等の手段によって送付する。これにより、カードの送付途中においては、情報記入領域に記入された情報は隠蔽片によって覆われており、外部から見られてしまうことはない。また、このカードが送付先に送付された後、カードの送付先において隠蔽片を表示片から剥離すると、情報記入領域に記入された情報が視認可能となり、それにより、情報記入領域に記入された情報がカードの送付元から送付先に伝達されることになる。
【０００３】
ここで、近年、非接触型ＩＣタグや非接触型ＩＣラベル、非接触型ＩＣカードといった、非接触状態にて情報の書き込み及び読み出しが可能なＲＦ−ＩＤメディアが、その優れた利便性から様々な用途に用いられている。このようなＲＦ−ＩＤメディアは、書き込み可能な情報量が多いことからも情報の伝達に用いられる場合も多く、上述したようなカードに微小なＲＦ−ＩＤメディアを取り付け、情報記入領域に記入された情報とＲＦ−ＩＤメディアに書き込まれた情報とを伝達することも考えられる。
【特許文献１】実用新案登録第２５７７５９０号公報
【発明の開示】
【発明が解決しようとする課題】
【０００４】
しかしながら、上述したようなカードにＲＦ−ＩＤメディアを取り付け、カードに記入された情報とＲＦ−ＩＤメディアに書き込まれた情報とを伝達する場合、カードに記入された情報においては、隠蔽片が剥離されない限り隠蔽することができるものの、ＲＦ−ＩＤメディアに書き込まれた情報においては、隠蔽片によって覆われていても送付途中にてＲＦ−ＩＤメディアに対する情報の書き込み及び読み出しを行うリーダ／ライタが近接した場合に、ＲＦ−ＩＤメディアに書き込まれた情報が読み出されてしまったり改竄されてしまったりする虞れがある。
【０００５】
本発明は、上述したような従来の技術が有する問題点に鑑みてなされたものであって、記入した情報を隠蔽することができ、かつ、ＲＦ−ＩＤメディアに書き込まれた情報を保護することができる記入情報隠蔽シートを提供することを目的とする。
【課題を解決するための手段】
【０００６】
上記目的を達成するために本発明は、
情報記入領域が設けられた第１の紙片と、該第１の紙片のうち少なくとも前記情報記入領域に記入された情報を隠蔽するために剥離可能な接着構造によって前記第１の紙片に接着可能に構成された第２の紙片とを有してなる記入情報隠蔽シートにおいて、
前記第１の紙片は、前記第２の紙片が接着される領域にＲＦ−ＩＤメディアが取り付けられ、
前記第２の紙片は、前記第１の紙片に接着された場合に前記ＲＦ−ＩＤメディアの情報書き込み／読み出し領域を含む領域に対向する領域に電波遮断手段が区画形成されていることを特徴とする。
【０００７】
また、前記第１の紙片と前記第２の紙片とは、折り部を介して連接しており、該折り部にて折り畳まれた場合に、前記情報記入領域が前記第２の紙片にて覆われ、かつ、前記電波遮断手段が前記ＲＦ−ＩＤメディアの情報書き込み／読み出し領域を含む領域に対向する領域に位置することを特徴とする。
【０００８】
上記のように構成された本発明においては、第１の紙片に設けられた情報記入領域に所望の情報を記入し、また、第１の紙片に取り付けられたＲＦ−ＩＤメディアに所望の情報を書き込み、第１の紙片に第２の紙片を剥離可能に接着すると、この状態においては、情報記入領域に記入された情報は第２の紙片によって覆われているため、外部から視認不可能となっている。また、第１の紙片に第２の紙片が接着された状態においては、第２の紙片に区画形成された電波遮断手段が、ＲＦ−ＩＤメディアの情報書き込み／読み出し領域を含む領域に対向する領域に位置しているため、ＲＦ−ＩＤメディアにリーダ／ライタを近接させた場合であっても、電波遮断手段によってリーダ／ライタからの電波が遮断され、ＲＦ−ＩＤメディアに書き込まれた情報が読み出されてしまったり改竄されてしまったりすることが防止される。
【発明の効果】
【０００９】
以上説明したように本発明においては、情報記入領域が設けられた第１の紙片にＲＦ−ＩＤメディアが取り付けられ、また、情報記入領域に記入された情報を隠蔽するために第１の紙片に第２の紙片が接着された場合に、第２の紙片の、ＲＦ−ＩＤメディアの情報書き込み／読み出し領域を含む領域に対向する領域に電波遮断手段が区画形成されている構成としたため、情報記入領域に鉛筆等で人間が情報を記入した後に、その記入された情報を隠蔽することができ、かつ、ＲＦ−ＩＤメディアに書き込まれた情報を保護することができる。
【００１０】
また、第１の紙片と第２の紙片とが折り部を介して連接されたものにおいては、第１の紙片と第２の紙片とを折り部にて折り畳んで互いに接着するだけで、情報記入領域に記入された情報を隠蔽することができ、かつ、ＲＦ−ＩＤメディアに書き込まれた情報を保護することができる。
【発明を実施するための最良の形態】
【００１１】
以下に、本発明の実施の形態について図面を参照して説明する。
【００１２】
（第１の実施の形態）
図１は、本発明の記入情報隠蔽シートの第１の実施の形態を示す図であり、（ａ）は裏面から見た図、（ｂ）は（ａ）に示した構成から剥離紙４０を剥離した状態を示す図、（ｃ）は表面から見た図、（ｄ）は（ａ）に示したＡ−Ａ’断面図である。
【００１３】
本形態は図１に示すように、第１の紙片である情報表示片１０と第２の紙片である隠蔽片２０とが折り部となるミシン目３０を介して連接してなるものであって、情報表示片１０の表面には、この記入情報隠蔽シートの送付先の住所や氏名等の宛先情報を記入するための宛先記入領域１３が設けられており、また、情報表示片１０の裏面には、この記入情報隠蔽シートの送付先に伝達したい情報を記入するための情報記入領域１１が設けられているとともに、非接触状態にて情報の書き込み及び読み出しが可能なＲＦ−ＩＤメディアであるＲＦ−ＩＤチップ１２が取り付けられている。なお、ＲＦ−ＩＤチップ１２は、記憶部や演算部を有する制御回路部（不図示）と、ＲＦ−ＩＤチップ１２に対する情報の書き込みや読み出しを行うリーダ／ライタが近接した場合にリーダ／ライタからの電波によって制御回路部に電流を供給するとともにリーダ／ライタとの間にて通信を行うためのアンテナ（不図示）とから構成されており、貼付や埋め込み等の方法によって情報表示片１０に取り付けられている。また、隠蔽片２０の裏面には、ミシン目３０を介して情報表示片１０の情報記入領域１１が内側となるように情報表示片１０と隠蔽片２０とが折り畳まれた場合にＲＦ−ＩＤチップ１２と対向する領域に導電インクを用いたスポット印刷が施されることによって電波遮断手段である導電領域２１が区画形成されており、さらにその面には、隠蔽片２０を情報表示片１０に対して剥離可能に接着するための接着構造が設けられている。この接着構造は、隠蔽片２０の裏面上に、接着力の強い透明な粘着剤５０ａによってポリエチレンやポリエステル等の合成樹脂からなる透明フィルム６０ａが剥離不能に接着され、この透明フィルム６０ａ上には、同じくポリエチレンやポリエステル等の合成樹脂からなる透明フィルム６０ｂが、不完全な溶着、あるいは接着力の弱い粘着剤等の適宜な手段によって剥離可能に接着され、さらに透明フィルム６０ｂ上には、接着力の強い透明な粘着剤５０ｂが設けられて構成されている。そして、粘着剤５０ｂは剥離紙４０によって被覆されている。また、剥離紙４０には、剥離作用を容易に行うためのスリット４１が形成されている。また、隠蔽片２０は、ミシン目３０を介して折り畳まれ、粘着剤５０ａ，５０ｂによって情報表示片１０と接着された状態にて情報表示片１０からの剥離作業を容易に行うためにその角部の一部が切り欠かれており、表面にはその部分から隠蔽片２０を剥離することを案内するための案内情報２２が記載されている。
【００１４】
以下に、上記のように構成された記入情報隠蔽シートの使用方法について説明する。
【００１５】
まず、情報表示片１０に設けられた情報記入領域１１に、この記入情報隠蔽シートの送付先に伝達したい情報を記入し、また、ＲＦ−ＩＤチップ１２に対する情報の書き込みや読み出しを行うリーダ／ライタを情報表示片１０に取り付けられたＲＦ−ＩＤチップ１２に近接させ、この記入情報隠蔽シートの送付先に伝達したい情報をＲＦ−ＩＤチップ１２に書き込む。また、この記入情報隠蔽シートの送付先の住所や氏名等の宛先情報を宛先記入領域１３に記入する。
【００１６】
次に、スリット４１から剥離紙４０を剥離していき粘着剤５０ｂを露出させ、露出した粘着剤５０ｂが内側となるようにミシン目３０を介して情報表示片１０と隠蔽片２０とを折り畳み、粘着剤５０ａ，５０ｂによって情報表示片１０と隠蔽片２０とを接着する。
【００１７】
図２は、図１に示した情報表示片１０と隠蔽片２０とが接着された状態を示す図であり、（ａ）は隠蔽片２０側から見た図、（ｂ）は（ａ）に示したＡ−Ａ’断面図である。
【００１８】
図２（ａ）に示すように、情報表示片１０と隠蔽片２０とが接着された状態においては、情報表示片１０の情報記入領域１１が隠蔽片２０で覆われているため、情報記入領域１１に記入された情報が外部から視認不可能となっている。
【００１９】
また、図２（ｂ）に示すように、情報表示片１０と隠蔽片２０とが接着された状態においては、情報表示片１０に取り付けられたＲＦ−ＩＤチップ１２と隠蔽片２０に区画形成された導電領域２１とが対向しているため、リーダ／ライタが近接した場合であってもリーダ／ライタからの電波が遮断され、ＲＦ−ＩＤチップ１２に書き込まれている情報が読み出されたり改竄されたりすることがない。
【００２０】
このように、ミシン目３０を介して情報表示片１０と隠蔽片２０とを折り畳んで互いに接着するだけで、情報記入領域１１に記入された情報を隠蔽することができ、かつ、ＲＦ−ＩＤチップ１２に書き込まれた情報を保護することができる。
【００２１】
その後、情報表示片１０の宛先記入領域１３に記入された宛先情報に従って記入情報隠蔽シートが送付先に送付される。この際、上述したように、情報記入領域１１に記入された情報が外部から視認不可能となっているとともに、ＲＦ−ＩＤチップ１２に書き込まれている情報が保護されている。
【００２２】
記入情報隠蔽シートが送付先にて受け取られた後、記入情報隠蔽シートの送付先において、隠蔽片２０に記載された案内情報２２に従って隠蔽片２０を剥離していくことになる。
【００２３】
図３は、図１に示した情報表示片１０と隠蔽片２０とが接着された後に剥離された状態を示す図であり、（ａ）は接着されていた面を示す図であり、（ｂ）は（ａ）に示したＡ−Ａ’断面図である。
【００２４】
隠蔽片２０に記載された案内情報２２に従って隠蔽片２０を剥離していくと、図３に示すように、透明フィルム６０ａと透明フィルム６０ｂとが離反し、透明フィルム６０ｂが粘着剤５０ｂによって情報表示片１０に残り、また、透明フィルム６０ａが粘着剤５０ａによって隠蔽片２０とともに情報表示片１０から剥離される。この際、粘着剤５０ｂ及び透明フィルム６０ｂが透明な材料から構成されているため、情報記入領域１１に記入された記入情報１４が粘着剤５０ｂ及び透明フィルム６０ｂを介して視認可能になる。また、情報表示片１０に取り付けられたＲＦ−ＩＤチップ１２には導電領域２１が対向していない状態となるため、ＲＦ−ＩＤチップ１２にリーダ／ライタを近接させることによって、ＲＦ−ＩＤチップ１２に書き込まれた情報を読み出すことができる。
【００２５】
これにより、記入情報隠蔽シートの送付先に、情報記入領域１１に記入された情報とＲＦ−ＩＤチップ１２に書き込まれた情報とを伝達することができる。
【００２６】
なお、本形態においては、隠蔽片２０の裏面のうち、ミシン目３０を介して情報記入領域１１が内側となるように情報表示片１０と隠蔽片２０とが折り畳まれた場合にＲＦ−ＩＤチップ１２と対向する領域に導電領域２１が区画形成されているが、隠蔽片２０のうち、ミシン目３０を介して情報記入領域１１が内側となるように情報表示片１０と隠蔽片２０とが折り畳まれた場合にＲＦ−ＩＤチップ１２の情報書き込み／読み出し領域を含む領域に対向する領域に導電領域２１が区画形成されていればよい。
【００２７】
また、隠蔽片２０の裏面に区画形成される導電領域２１においては、本形態のように導電インクを用いたスポット印刷によって形成するものに限らず、その他に例えば、薄型の導電性部材を同一の領域に貼付することによって形成すること等も考えられる。
【００２８】
また、本形態においては、折り部としてミシン目３０が形成されているが、本発明はこれに限らず、情報表示片１０と隠蔽片２０とが折り畳み可能となるようなものであれば折り線等であってもよい。
【００２９】
（第２の実施の形態）
図４は、本発明の記入情報隠蔽シートの第２実施の形態を示す図であり、（ａ）は積層構造を示す図、（ｂ）は（ａ）に示した情報表示片１１０を剥離紙１４０側から見た図、（ｃ）は（ａ）に示した隠蔽片１２０を粘着剤１５０ａ側から見た図である。
【００３０】
本形態は図４（ａ）に示すように、第１の紙片である情報表示片１１０と第２の紙片である隠蔽片１２０とが、剥離可能な接着構造によって接着されて構成されている。この接着構造は、隠蔽片１２０の裏面上に、接着力の強い透明な粘着剤１５０ａによってポリエチレンやポリエステル等の合成樹脂からなる透明フィルム１６０ａが剥離不能に接着され、この透明フィルム１６０ａ上には、同じくポリエチレンやポリエステル等の合成樹脂からなる透明フィルム１６０ｂが、不完全な溶着、あるいは接着力の弱い粘着剤等の適宜な手段によって剥離可能に接着され、さらに透明フィルム１６０ｂ上には、接着力の強い透明な粘着剤１５０ｂが設けられて構成されている。そして、粘着剤１５０ｂの一部が情報表示片１１０に接着され、他の部分が剥離紙１４０によって被覆されている。
【００３１】
また、図４（ｂ）に示すように、情報表示片１１０の剥離紙４０と対向する面には、この記入情報隠蔽シートの送付先に伝達したい情報を記入するための情報記入領域１１１が設けられているとともに、非接触状態にて情報の書き込み及び読み出しが可能なＲＦ−ＩＤメディアであるＲＦ−ＩＤチップ１１２が取り付けられている。なお、ＲＦ−ＩＤチップ１１２は、記憶部や演算部を有する制御回路部（不図示）と、ＲＦ−ＩＤチップ１１２に対する情報の書き込みや読み出しを行うリーダ／ライタが近接した場合にリーダ／ライタからの電波によって制御回路部に電流を供給するとともにリーダ／ライタとの間にて通信を行うためのアンテナ（不図示）とから構成されており、貼付や埋め込み等の方法によって情報表示片１１０に取り付けられている。
【００３２】
また、図４（ｃ）に示すように、隠蔽片１２０の粘着剤１５０ａが塗布された面には、情報表示片１１０に取り付けられたＲＦ−ＩＤチップ１１２と対向する領域に導電インクを用いたスポット印刷が施されることによって電波遮断手段である導電領域１２１が区画形成されている。
【００３３】
以下に、上記のように構成された記入情報隠蔽シートの使用方法について説明する。
【００３４】
まず、情報表示片１１０に設けられた情報記入領域１１１に、この記入情報隠蔽シートの送付先に伝達したい情報を記入し、また、ＲＦ−ＩＤチップ１１２に対する情報の書き込みや読み出しを行うリーダ／ライタを情報表示片１１０に取り付けられたＲＦ−ＩＤチップ１１２に近接させ、この記入情報隠蔽シートの送付先に伝達したい情報をＲＦ−ＩＤチップ１１２に書き込む。
【００３５】
図５は、図４に示した情報記入欄１１１に情報を記入するとともにＲＦ−ＩＤチップ１１２に情報を書き込む際の記入情報隠蔽シートの状態を示す図であり、（ａ）は隠蔽片１２０を捲り上げた状態を示す図、（ｂ）は（ａ）に示した状態から剥離紙１４０を剥離した状態を示す図である。
【００３６】
図５（ａ）に示すように、粘着剤１５０ａ，１５０ｂによって接着された透明フィルム１６０ａ，１６０ｂ及び剥離紙１４０とともに隠蔽片１２０を捲り上げると、情報表示片１１０に設けられた情報記入領域１１１が露出し、この情報記入領域１１１に、記入情報隠蔽シートの送付先に伝達したい情報を記入する。また、その際、情報表示片１１０に取り付けられたＲＦ−ＩＤチップ１１２も露出する。この状態においては、ＲＦ−ＩＤチップ１１２は隠蔽片１２０に区画形成された導電領域１２１に対向していないため、リーダ／ライタを近接させることによりＲＦ−ＩＤチップ１１２に情報を書き込むことができる。また、情報表示片１１０の反対側の面に、この記入情報隠蔽シートの送付先の住所や氏名等の宛先情報を記入する。
【００３７】
次に、図５（ｂ）に示すように、剥離紙１４０を剥離していき粘着剤１５０ｂを露出させ、その状態で隠蔽片１２０を元の状態に戻し、粘着剤１５０ａ，１５０ｂによって情報表示片１１０と隠蔽片１２０とを接着する。なお、このような剥離作用を容易に行うための剥離紙１４０にスリット（不図示）を形成しておくことも考えられ、その場合、スリットから剥離紙１４０を剥離していくことになる。
【００３８】
図６は、図４に示した情報表示片１１０と隠蔽片１２０とが接着された状態を示す図であり、（ａ）は隠蔽片１２０側から見た図、（ｂ）は（ａ）に示したＡ−Ａ’断面図である。
【００３９】
図６（ａ）に示すように、情報表示片１１０と隠蔽片１２０とが接着された状態においては、情報表示片１１０の情報記入領域１１１が隠蔽片１２０で覆われているため、情報記入領域１１１に記入された情報が外部から視認不可能となっている。
【００４０】
また、図６（ｂ）に示すように、情報表示片１１０と隠蔽片１２０とが接着された状態においては、情報表示片１１０に取り付けられたＲＦ−ＩＤチップ１１２と隠蔽片１２０に区画形成された導電領域１２１とが対向しているため、リーダ／ライタが近接した場合であってもリーダ／ライタからの電波が遮断され、ＲＦ−ＩＤチップ１１２に書き込まれている情報が読み出されたり改竄されたりすることがない。
【００４１】
その後、情報表示片１１０の表面に記入された宛先情報に従って記入情報隠蔽シートが送付先に送付される。この際、上述したように、情報記入領域１１１に記入された情報が外部から視認不可能となっているとともに、ＲＦ−ＩＤチップ１１２に書き込まれている情報が保護されている。
【００４２】
記入情報隠蔽シートが送付先にて受け取られた後、記入情報隠蔽シートの送付先において、隠蔽片１２０に記載された案内情報１２２に従って隠蔽片１２０を剥離していくことになる。
【００４３】
図７は、図４に示した隠蔽片１２０が剥離された情報表示片１１０の状態を示す図であり、（ａ）は隠蔽片１２０が接着されていた面を示す図であり、（ｂ）は（ａ）に示したＡ−Ａ’断面図である。
【００４４】
隠蔽片１２０に記載された案内情報１２２に従って隠蔽片１２０を剥離していくと、透明フィルム１６０ａと透明フィルム１６０ｂとが離反し、透明フィルム１６０ｂが粘着剤１５０ｂによって情報表示片１１０に残り、また、透明フィルム１６０ａが粘着剤１５０ａによって隠蔽片１２０とともに情報表示片１１０から剥離される。この際、粘着剤１５０ｂ及び透明フィルム１６０ｂが透明な材料から構成されているため、情報記入領域１１１に記入された記入情報１１４が粘着剤１５０ｂ及び透明フィルム１６０ｂを介して視認可能になる。また、情報表示片１１０に取り付けられたＲＦ−ＩＤチップ１１２には導電領域１２１が対向していない状態となるため、ＲＦ−ＩＤチップ１１２にリーダ／ライタを近接させることによって、ＲＦ−ＩＤチップ１１２に書き込まれた情報を読み出すことができる。
【００４５】
これにより、記入情報隠蔽シートの送付先に、情報記入領域１１１に記入された情報とＲＦ−ＩＤチップ１１２に書き込まれた情報とを伝達することができる。
【００４６】
なお、本形態においては、隠蔽片１２０の裏面のうち、情報表示片１１０に取り付けられたＲＦ−ＩＤチップ１１２と対向する領域に導電領域１２１が区画形成されているが、隠蔽片１２０のうち、ＲＦ−ＩＤチップ１１２の情報書き込み／読み出し領域を含む領域に対向する領域に導電領域１２１が区画形成されていればよい。
【００４７】
また、隠蔽片１２０の裏面に区画形成される導電領域１２１においては、本形態のように導電インクを用いたスポット印刷によって形成するものに限らず、その他に例えば、薄型の導電性部材を同一の領域に貼付することによって形成すること等も考えられる。
【００４８】
また、上述した２つの実施の形態においては、情報表示片１０，１１０と隠蔽片２０，１２０とが略同一の形状のものを例に挙げて説明したが、情報表示片１０，１１０と隠蔽片２０，１２０とが接着された場合に、隠蔽片２０，１２０によって情報記入部１１，１１１が隠蔽され、かつ、導電領域２１，１２１がＲＦ−ＩＤチップ１２，１１２の情報書き込み／読み出し領域を含む領域に対向する領域に位置するようなものであれば、その大きさ、形状についてはこれに限られない。
【００４９】
また、上述した２つの実施の形態においては、接着構造の構成として、不完全な溶着、あるいは接着力の弱い粘着剤等の適宜な手段によって剥離可能に接着された２つの透明フィルムを用いたが、情報表示片１０，１１０と隠蔽片２０，１２０とを接着力の弱い粘着剤を用いて直接剥離可能に接着するものであってもよい。
【図面の簡単な説明】
【００５０】
【図１】本発明の記入情報隠蔽シートの第１の実施の形態を示す図であり、（ａ）は裏面から見た図、（ｂ）は（ａ）に示した構成から剥離紙を剥離した状態を示す図、（ｃ）は表面から見た図、（ｄ）は（ａ）に示したＡ−Ａ’断面図である。
【図２】図１に示した情報表示片と隠蔽片とが接着された状態を示す図であり、（ａ）は隠蔽片側から見た図、（ｂ）は（ａ）に示したＡ−Ａ’断面図である。
【図３】図１に示した情報表示片と隠蔽片とが接着された後に剥離された状態を示す図であり、（ａ）は接着されていた面を示す図であり、（ｂ）は（ａ）に示したＡ−Ａ’断面図である。
【図４】本発明の記入情報隠蔽シートの第２実施の形態を示す図であり、（ａ）は積層構造を示す図、（ｂ）は（ａ）に示した情報表示片を剥離紙側から見た図、（ｃ）は（ａ）に示した隠蔽片を粘着剤側から見た図である。
【図５】図４に示した情報記入欄に情報を記入するとともにＲＦ−ＩＤチップに情報を書き込む際の記入情報隠蔽シートの状態を示す図であり、（ａ）は隠蔽片を捲り上げた状態を示す図、（ｂ）は（ａ）に示した状態から剥離紙を剥離した状態を示す図である。
【図６】図４に示した情報表示片と隠蔽片とが接着された状態を示す図であり、（ａ）は隠蔽片側から見た図、（ｂ）は（ａ）に示したＡ−Ａ’断面図である。
【図７】図４に示した隠蔽片が剥離された情報表示片の状態を示す図であり、（ａ）は隠蔽片が接着されていた面を示す図であり、（ｂ）は（ａ）に示したＡ−Ａ’断面図である。
【符号の説明】
【００５１】
１０，１１０    情報表示片
１１，１１１    情報記入領域
１２，１１２    ＲＦ−ＩＤチップ
１３    宛先記入領域
１４，１１４    記入情報
２０，１２０    隠蔽片
２１，１２１    導電領域
２２，１２２    案内情報
３０    ミシン目
４０，１４０    剥離紙
４１    スリット
５０ａ，５０ｂ，１５０ａ，１５０ｂ    粘着剤
６０ａ，６０ｂ，１６０ａ，１６０ｂ    透明フィルム
【図１】
2006088372.tif 000003
【図２】
2006088372.tif 000004
【図３】
2006088372.tif 000005
【図４】
2006088372.tif 000006
【図５】
2006088372.tif 000007
【図６】
2006088372.tif 000008
【図７】
2006088372.tif 000009